(57)【特許請求の範囲】
【請求項１】
一端に環状蛍光ランプのランプピン挿入口を他端に電線引き出し口をそれぞれ有し内部に導電体が配置された栓受体と、前記栓受体の嵌入部を設けたソケット本体と、前記ソケット本体に取り付けられるソケットカバーとを備えたランプソケット装置であって、前記栓受体は嵌入部に嵌入した状態で前記ソケット本体と前記ソケットカバーとで挟持され、前記ソケット本体または前記ソケットカバーの少なくとも一方の前記栓受体近傍の位置に前記栓受体の電線引き出し口からの導出電線の矯正用リブを設け、この矯正用リブにより導出電線がその導出方向に沿って略直線状に引き出され、かつ前記導出電線を前記ソケット本体の内部を通って外部に延出するように前記導出電線の屈曲した部分を前記矯正用リブの先端に巻き付けるとともに、前記矯正用リブの先端に略直角となったコーナ部を設けたことを特徴とするランプソケット装置。
【請求項２】
環状蛍光ランプのランプフィラメントは、ランプピン挿入口に挿入されるランプピンを設けたランプ口金部に対しいずれか一方側のみに配設され、栓受体はソケット本体とソケットカバーで挟持した状態で装着されるとともに、前記栓受体に被係合部を、前記ソケット本体または前記ソケットカバーの少なくとも一方に前記被係合部に係合する係合部をそれぞれ有し、かつ前記被係合部と係合部は、前記環状蛍光ランプを電気的に接続した状態で前記ランプフィラメントに面さない位置に配設した請求項１記載のランプソケット装置。
【請求項３】
環状蛍光ランプは、小径形発光ガラス管と大径形発光ガラス管を同心円にブリッジ接合し、ランプ口金部を挟んで一方がランプフィラメント側、他方が最冷点側に統一された二重管形環状蛍光ランプであり、この二重管形環状蛍光ランプを電気的に接続し得る導電体を栓受体の外部に引き出し、保持機能として前記環状蛍光ランプを自己保持し得るランプ支持ばねを設け、ソケット本体とソケットカバーは、前記環状蛍光ランプの取付状態でその周方向に沿ったソケット幅方向の略中央部より二分割している請求項１または２記載のランプソケット装置。
【請求項４】
請求項１，２または３記載のランプソケット装置を備えたことを特徴とする環状蛍光ランプ用照明器具。
【発明の詳細な説明】
【０００１】
【発明の属する技術分野】
この発明は、環状蛍光ランプを電気接続し得るランプソケット装置および環状蛍光ランプ用照明器具に関するものである。
【０００２】
【従来の技術】
従来、実開昭６２−２３０８１（図８）や実開平４−２５１８４（図９）に示すように、電線５０を引き出し外周部に一対のボス部５１を有した栓受体５２を、その栓受体支持用のボス部５１に嵌合する凹部５３を有するソケット本体５４またはソケットカバー５５とにその栓受体５２が遊嵌するように構成されたソケットにおいて、電線５０に張力が加わると特に張力止め機構をソケットの内外に設けていない場合は、栓受体５２は傾いたりランプ５６のランプピン５６ａの挿抜方向に位置ずれてしまう。
【０００３】
【発明が解決しようとする課題】
上記のように栓受体５２が位置ずれすると下記の問題がある。すなわち、図１０では、栓受体５２がＪＩＳ規定の基準面５９より飛び出しているため、ランプ口金５７はランプ支持ばね５８と不完全な嵌合となる。図１１では、栓受体５２が基準面５９より落ち込んでいるので、ランプピンのランプピン接触金具への入り込み代は少なくなり、ルーズコンタクトになりやすい。図１２では、栓受体５２が傾いているので、ランプ着脱時にランプピンをかじってしまい、破損やルーズコンタクトになりやすい。
【０００４】
また、図１３に示すように、ソケットの内部に張力止め機構がない場合でも、栓受体５２から引き出された電線５０が十分にストレート部を確保し、かつ、途中から略直角に屈曲している場合は、少々の張力が加わっても特に張力止めのためのリブなどがなくても栓受体５２はずれたり傾いたりしない。すなわち、Ａ寸法が十分確保されているので、ソケット外からの引っ張り力や押し込み力を加えても、栓受体５２の電線導出部５２ａまでその張力は伝わらない。よって栓受体５２の位置ずれは生じ難い。しかしながら上記のように電線ストレート部を十分に確保し得るスペースが必要となりソケットのコンパクト化を阻む要因となっている。
【０００５】
栓受体にずれや傾きが生じると、ソケットの受金に適用されるＪＩＳ規格規定寸法の、例えば図１４に示したＪＩＳ  Ｃ７７０９−２のＧｕ１０ｑサイズの受金寸法から大きく外れる場合がある。図１４において、６０はコンタクト、６１は保持用スプリング、６２は基準面であり、ｄ寸法の上限値と下限値との差は０．３ｍｍである。
【０００６】
したがって、この発明の目的は、電線に張力が加わった時の栓受体の位置ずれを防止することができるランプソケット装置および環状蛍光ランプ用照明器具を提供することである。
【０００７】
【課題を解決するための手段】
上記課題を解決するためにこの発明の請求項１記載のランプソケット装置は、一端に環状蛍光ランプのランプピン挿入口を他端に電線引き出し口をそれぞれ有し内部に導電体が配置された栓受体と、前記栓受体の嵌入部を設けたソケット本体と、前記ソケット本体に取り付けられるソケットカバーとを備えたランプソケット装置であって、前記栓受体は嵌入部に嵌入した状態で前記ソケット本体と前記ソケットカバーとで挟持され、前記ソケット本体または前記ソケットカバーの少なくとも一方の前記栓受体近傍の位置に前記栓受体の電線引き出し口からの導出電線の矯正用リブを設け、この矯正用リブにより導出電線がその導出方向に沿って略直線状に引き出され、かつ前記導出電線を前記ソケット本体の内部を通って外部に延出するように前記導出電線の屈曲した部分を前記矯正用リブの先端に巻き付けるとともに、前記矯正用リブの先端に略直角となったコーナ部を設けた。
【０００８】
このように、ソケット本体またはソケットカバーの少なくとも一方の栓受体近傍の位置に栓受体の電線引き出し口からの導出電線の矯正用リブを設け、この矯正用リブにより導出電線がその導出方向に沿って略直線状に引き出され、かつ導出電線をソケット本体の内部を通って外部に延出するように導出電線の屈曲した部分を矯正用リブの先端に巻き付けるとともに、矯正用リブの先端に略直角となったコーナ部を設けたので、栓受体には斜め方向の力が加わらず、栓受体の傾きを防止できる。これにより環状蛍光ランプと栓受体の接続部はルーズコンタクトになり難く、確実に接続できる。
【０００９】
また、矯正用リブは栓受体近傍に設けることで、導出電線の導出方向に沿ったソケットのストレート部を小さく設定でき、ソケットがコンパクトになり、器具の薄型化が可能である。
【００１０】
請求項２記載のランプソケット装置は、請求項１記載のランプソケット装置において、環状蛍光ランプのランプフィラメントは、ランプピン挿入口に挿入されるランプピンを設けたランプ口金部に対しいずれか一方側のみに配設され、栓受体はソケット本体とソケットカバーで挟持した状態で装着されるとともに、前記栓受体に被係合部を、前記ソケット本体または前記ソケットカバーの少なくとも一方に前記被係合部に係合する係合部をそれぞれ有し、かつ前記被係合部と係合部は、前記環状蛍光ランプを電気的に接続した状態で前記ランプフィラメントに面さない位置に配設した。
【００１１】
このように、栓受体に被係合部を、ソケット本体またはソケットカバーの少なくとも一方に被係合部に係合する係合部をそれぞれ有し、かつ被係合部と係合部は、環状蛍光ランプを電気的に接続した状態でランプフィラメントに面さない位置に配設したので、ランプ点灯時のフィラメントからの発熱照射の影響を受け難い。このため、導出電線から栓受体に引張りや押込みの力が加わった場合、フィラメント側に設けたときより係合部と被係合部の熱軟化の度合いは低くなるので、栓受体の脱出や陥没が防止できる。
【００１２】
請求項３記載のランプソケット装置は、請求項１または２記載のランプ装置において、環状蛍光ランプは、小径形発光ガラス管と大径形発光ガラス管を同心円にブリッジ接合し、ランプ口金部を挟んで一方がランプフィラメント側、他方が最冷点側に統一された二重管形環状蛍光ランプであり、この二重管形環状蛍光ランプを電気的に接続し得る導電体を栓受体の外部に引き出し、保持機能として前記環状蛍光ランプを自己保持し得るランプ支持ばねを設け、ソケット本体とソケットカバーは、前記環状蛍光ランプの取付状態でその周方向に沿ったソケット幅方向の略中央部より二分割している。
【００１３】
このように、環状蛍光ランプは二重管形環状蛍光ランプであるので、ランプフィラメントをランプ口金に対しいずれか一方側のみに配置することができ、このランプフィラメント側と反対側の最冷点側に係合部と被係合部を配置することで請求項２と同様の作用効果が得られる。また、請求項１と同様に栓受体の傾きを防止し基準面に保持できるので、栓受体とランプ口金との接続が確実となり、かつランプがランプ支持ばねにより確実に支持される。また、ソケット本体とソケットカバーは、環状蛍光ランプの周方向に沿ったソケット幅方向の略中央部より二分割しているので、栓受体の取り付け作業が容易にできる。
請求項４記載の環状蛍光ランプ用照明器具は、請求項１，２または３記載のランプソケット装置を備えた。
【００１４】
【発明の実施の形態】
この発明の実施の形態を図１ないし図７に基づいて説明する。図１はこの発明の実施の形態のランプソケット装置の断面図、図２（ａ）はこの発明の実施の形態のランプソケット装置の正面図、（ｂ）は底面図、（ｃ）は側面図、図３は図２（ａ）のＡ−Ａ断面図である。
【００１５】
図１および図２に示すように、一端に環状蛍光ランプのランプピン挿入口１ａを他端に電線引き出し口１ｂをそれぞれ有し内部に導電体が配置された栓受体１と、少なくとも栓受体１を取り付け可能なソケット本体２と、ソケット本体２に取り付けられるソケットカバー３とを備え、栓受体１に接続される環状蛍光ランプを着脱可能に装着し得る保持機能（ランプ支持ばね１１）を設けている。
【００１６】
また、ソケット本体２またはソケットカバー３の少なくとも一方の栓受体１近傍の位置に栓受体１からの導出電線５の矯正用リブ６を設け、この矯正用リブ６により導出電線５の電線導出部５ａがその導出方向に沿って略直線状に引き出される。
【００１７】
図３等に示すように、ソケット本体２とソケットカバー３は、環状蛍光ランプの取付状態でその周方向に沿ったソケット幅方向の略中央部より二分割したポリプロピレン等の樹脂製の部材である。栓受体１はソケット本体２とソケットカバー３とで挟持された状態で装着される。この場合、ソケット本体２に栓受体１の嵌入部７が設けられ、この嵌入部７の近傍に電線引き出し口１ｂに対応するように少なくとも一対の矯正用リブ６が設けてある。矯正用リブ６は栓受体１の電線引き出し口１ｂから引き出された４本の導出電線５をソケット本体２の内部を通ってソケットの外部に延出するように導出電線５を巻き付けて略直角に屈曲させる。その電線屈曲部５ｂを巻き付ける矯正用リブ６の先端に略直角となったコーナ部１６が設けられ、導出電線５の引張り力に対し張力緩和作用を有する。また、導出電線５を屈曲させる側に位置する一方の矯正用リブ６を他方の矯正用リブ６より短くし、他方の矯正用リブ６により案内される導出電線５の通るスペースを確保する。
【００１８】
また、嵌入部７とともにソケット本体２の開口部がソケットカバー３にて覆われる。ソケットカバー３はソケット本体２側に設けた樹脂かしめ用凸部８にてソケット本体２に固定される。また、栓受体１に被係合部を、ソケット本体２またはソケットカバー３の少なくとも一方に被係合部に係合する係合部をそれぞれ有する。この場合、ソケットカバー３に係合部であるボス９が設けられ、栓受体１の側面に被係合部である凹部１０が設けられている。ボス９と凹部（穴部）１０が係合することで栓受体１の位置決めおよび抜け止め効果がある。図１において、１１は環状蛍光ランプを自己保持し得るランプ支持ばねであり、ソケット本体２に嵌入されている。１２は線さばき用電線押え、１３は電線引き出し部、１４は器具側係止用リブ、１５は器具側取付用四角ナットである。
【００１９】
上記構成のランプソケット装置２０は、図４に示すような照明器具に設置される。図４（ａ）はこの発明の実施の形態のランプソケット装置を用いた照明器具の断面図、（ｂ）は底面図である。
【００２０】
図４に示すように、吊り下げ型照明器具本体２１にランプソケット装置２０が、器具側係止用リブ１４と器具側取付用四角ナット１５を用いて設置され、このランプソケット装置のランプ支持ばね１１と他のランプ支持ばね２２を用いて環状蛍光ランプ２３が取り付けられる。この環状蛍光ランプ２３は、小径形発光ガラス管と大径形発光ガラス管を同心円にブリッジ接合し、ランプ口金部２３ａを挟んで一方がランプフィラメント２４側、他方が最冷点２５側に統一された二重管形環状蛍光ランプであり、特開平８−３２９８９１および特開２０００−１４９８７５に示されている。すなわち、図５に示すように、二重管形環状蛍光ランプ２３においては、ランプフィラメント２４は、ランプ口金部２３ａに対しどちらか一方側のみに統一した形で配設されている。他方側は最冷点２５となり、ブリッジ２６で接合されている。そのため、点灯時の口金部２３ａ付近の温度分布はランプフィラメント２４側の方が高くなってしまう。
【００２１】
一方、ソケットカバー３のボス９と栓受体１の凹部１０の嵌合部に熱が加わり、機械的強度が低下すると、ランプ着脱操作によりボディカバー３の隙間が広がり絶縁性能の低下につながる。また、ランプピン保持力がソケットの熱収縮等で高くなった場合は、栓受体１の位置ずれや脱出につながる。
【００２２】
そのため、ソケットカバー３のボス９と栓受体１の凹部１０の嵌合部を、環状蛍光ランプ２３を電気的に接続した状態でランプフィラメントに面さない位置に配設した。これに伴いランプフィラメント２４の熱は主にソケット本体２に照射される。図４において、２７はセード、２８は電源コード、２９は電源コード収納カバーである。
【００２３】
つぎに、ランプソケット装置の作用について説明する。図６はこの発明の実施の形態のランプソケット装置の作用説明図、図７は比較のための従来例の説明図である。
【００２４】
図６に示すように、導出電線５に引張り力が加わった時の栓受体１が被る力の方向は、栓受体１の軸に対し同一方向となる。このため、栓受体１には引張り力が加わり、後退することになる。また、電線屈曲部５ｂが矯正用リブ６のコーナ部１６に巻き付くため電線張力は緩和される。Ｂは栓受体１の凹部１０とソケットカバー３のボス９の嵌合位置を示す。
【００２５】
これに対し従来例では、図７に示すように、導出電線５に引張り力が加わった時の栓受体１が被る力の方向は、栓受体１の軸に対し斜め方向となる。このため、栓受体１は凹部とボスの嵌合位置Ｂを支点に回転力が加わり傾くことになる。
【００２６】
以上のようにこの実施の形態によれば、栓受体１の導出電線５に対し略ストレート状に引き出されるような矯正用リブ６を設けたので、栓受体１には斜め方向の力が加わらず、栓受体１の傾きを防止できる。これにより環状蛍光ランプと栓受体の接続部はルーズコンタクトになり難く、確実に接続できるとともに、栓受体１がＪＩＳ規定の基準面より飛び出さないのでランプ支持ばね１１に完全に装着される。
【００２７】
矯正用リブ６は栓受体１の電線引き出し口１ｂ近傍に設けることで、導出電線５の導出方向に沿ったソケットのストレート部の寸法Ａ（図１）を小さく設定でき、ソケットがコンパクトになり、器具の薄型化が可能である。また、矯正用リブ６のコーナ部１６に導出電線５が部分的に巻き付くため、導出電線５の引張り力や押込み力に対し張力緩和が行える（簡易張力止め機構の提供）。
【００２８】
また、栓受体１の凹部１０に嵌合するボス９をソケットカバー３側、すなわちフィラメント２４に面さない箇所に設けたので、ランプ点灯時のフィラメント２４からの発熱照射の影響を被り難い。このため、栓受体１に引張りや押込みの力が加わった場合、フィラメント２４側に設けた場合よりボス９の熱軟化の度合いは低くなり、また嵌合する凹部１０の熱軟化による変形、位置ずれの度合いも低くなるので、栓受体１の脱出や陥没が防止できる。
【００２９】
なお、矯正用リブはソケットカバーに設けてもよく、ソケット本体とソケットカバーの両方に設けてもよい。また、ソケット栓受体にボスを、ソケットカバーに凹部を設けてもよい。
【００３０】
【発明の効果】
この発明の請求項１記載のランプソケット装置によれば、ソケット本体またはソケットカバーの少なくとも一方の栓受体近傍の位置に栓受体の電線引き出し口からの導出電線の矯正用リブを設け、この矯正用リブにより導出電線がその導出方向に沿って略直線状に引き出され、かつ導出電線をソケット本体の内部を通って外部に延出するように導出電線の屈曲した部分を矯正用リブの先端に巻き付けるとともに、矯正用リブの先端に略直角となったコーナ部を設けたので、栓受体には斜め方向の力が加わらず、栓受体の傾きを防止できる。これにより環状蛍光ランプと栓受体の接続部はルーズコンタクトになり難く、確実に接続できる。
【００３１】
また、矯正用リブは栓受体近傍に設けることで、導出電線の導出方向に沿ったソケットのストレート部を小さく設定でき、ソケットがコンパクトになり、器具の薄型化が可能である。
【００３２】
請求項２では、栓受体に被係合部を、ソケット本体またはソケットカバーの少なくとも一方に被係合部に係合する係合部をそれぞれ有し、かつ被係合部と係合部は、環状蛍光ランプを電気的に接続した状態でランプフィラメントに面さない位置に配設したので、ランプ点灯時のフィラメントからの発熱照射の影響を受け難い。このため、導出電線から栓受体に引張りや押込みの力が加わった場合、フィラメント側に設けたときより係合部と被係合部の熱軟化の度合いは低くなるので、栓受体の脱出や陥没が防止できる。
【００３３】
請求項３では、環状蛍光ランプは二重管形環状蛍光ランプであるので、ランプフィラメントをランプ口金に対しいずれか一方側のみに配置することができ、このランプフィラメント側と反対側の最冷点側に係合部と被係合部を配置することで請求項２と同様の作用効果が得られる。また、請求項１と同様に栓受体の傾きを防止し基準面に保持できるので、栓受体とランプ口金との接続が確実となり、かつランプがランプ支持ばねにより確実に支持される。また、ソケット本体とソケットカバーは、環状蛍光ランプの取付状態でその周方向に沿ったソケット幅方向の略中央部より二分割しているので、栓受体の取り付け作業が容易にできる。
請求項４記載の環状蛍光ランプ用照明器具によれば、請求項１，２または３記載のランプソケット装置を備えているので、環状蛍光ランプ用照明器具において上記効果が得られる。
【図面の簡単な説明】
【図１】この発明の実施の形態のランプソケット装置の断面図である。
【図２】（ａ）はこの発明の実施の形態のランプソケット装置の正面図、（ｂ）は底面図、（ｃ）は側面図である。
【図３】（ａ）のＡ−Ａ断面図である。
【図４】（ａ）はこの発明の実施の形態のランプソケット装置を用いた照明器具の断面図、（ｂ）は底面図である。
【図５】二重管形環状蛍光ランプの説明図である。
【図６】この発明の実施の形態のランプソケット装置の作用説明図である。
【図７】比較のための従来例の説明図である。
【図８】従来例の分解斜視図である。
【図９】別の従来例の断面図である。
【図１０】従来例の問題点を示す説明図である。
【図１１】従来例の問題点を示す説明図である。
【図１２】従来例の問題点を示す説明図である。
【図１３】従来例の他の問題点を示す断面図である。
【図１４】ＪＩＳ規格規定寸法を示す説明図である。
【符号の説明】
１  栓受体
１ａ  ランプピン挿入口
１ｂ  電線引き出し口
２  ソケット本体
３  ソケットカバー
５  導出電線
６  矯正用リブ
９  ボス
１０  凹部
１１  ランプ支持ばね
２０  ランプソケット装置
２３  環状蛍光ランプ
２３ａ  ランプ口金部
２４  フィラメント
２５  最冷点
【図１】
0003746001.tif 000002
【図２】
0003746001.tif 000003
【図３】
0003746001.tif 000004
【図４】
0003746001.tif 000005
【図５】
0003746001.tif 000006
【図６】
0003746001.tif 000007
【図７】
0003746001.tif 000008
【図８】
0003746001.tif 000009
【図９】
0003746001.tif 000010
【図１０】
0003746001.tif 000011
【図１１】
0003746001.tif 000012
【図１２】
0003746001.tif 000013
【図１３】
0003746001.tif 000014
【図１４】
0003746001.tif 000015